(57)【要約】  本発明は、送信フィルタを備えた送受信デュプレクスフィルタ、第１の入力側、第２の入力側および出力側を備えたカップリング回路、および、それぞれ入力側および出力側を備え、各送信ユニットに配属された２個のワンウェイアテネータを有し、カップリング回路の第１の入力側が第２のアテネータの出力側に接続されている、少なくとも１つの送信ユニットを送受信アンテナへ接続する装置に関する。各アテネータの入力側は対応する送信ユニットに固定かつ解離可能に接続され、さらに送信フィルタの入力側、カップリング回路の第２の入力側、カップリング回路の出力側および第１のアテネータの出力側も固定かつ解離可能に接続できるように構成され、少なくとも１つの送信信号が選択的に送信フィルタの入力側へ接続される。
2008520136.tif 000002
【特許請求の範囲】
【請求項１】
送信フィルタ（ＦＴＸ１１）を備え、少なくとも１つの送信ユニットで形成された送信信号（ＴＸ１１，ＴＸ１２）を送受信アンテナ（ＡＮＴ１１）へ供給する送受信デュプレクスフィルタ（ＤＦ１１）、
第１の入力側（Ｅ１）、第２の入力側（Ｅ２）および出力側（Ａ）を備えた第１のカップリング回路（Ｋ１１）、および、
それぞれ入力側および出力側を備え、各送信ユニットに配属された２個のワンウェイアテネータ（ＡＳ１１，ＡＳ１２）
を有しており、
第１のカップリング回路（Ｋ１１）の第１の入力側（Ｅ１）が第２のワンウェイアテネータの出力側に接続されている、
少なくとも１つの送信ユニットを送受信アンテナへ接続する装置において、
各ワンウェイアテネータ（ＡＳ１１，ＡＳ１２）の入力側は対応する送信ユニットと固定かつ解離可能に接続できるように構成されており、
送信フィルタ（ＦＴＸ１１）の入力側、第１のカップリング回路（Ｋ１１）の第２の入力側（Ｅ２）、第１のカップリング回路（Ｋ１１）の出力側（Ａ）および第１のワンウェイアテネータ（ＡＳ１１）の出力側はそれぞれ固定かつ解離可能に接続できるように構成されており、これにより対応する送信ユニットの少なくとも１つの送信信号（ＴＸ１１，ＴＸ１２）が選択的に送信フィルタ（ＦＴＸ１１）の入力側へ接続される
ことを特徴とする少なくとも１つの送信ユニットを送受信アンテナへ接続する装置。
【請求項２】
１個の送信信号（ＴＸ１１）を接続するために、対応する送信ユニットが第１のワンウェイアテネータ（ＡＳ１１）の入力側へ、第１のワンウェイアテネータ（ＡＳ１１）の出力側が送信フィルタ（ＦＴＸ１１）の入力側へ、それぞれ固定かつ解離可能に接続されている、請求項１記載の装置。
【請求項３】
２個の送信信号（ＴＸ１１，ＴＸ１２）を接続するために、第１の送信ユニットが第１のワンウェイアテネータ（ＡＳ１１）の入力側へ、第２の送信ユニットが第２のワンウェイアテネータ（ＡＳ１２）の入力側へ、第１のワンウェイアテネータ（ＡＳ１１）の出力側が第１のカップリング回路（Ｋ１１）の第２の入力側（Ｅ２）へ、第１のカップリング回路（Ｋ１１）の出力側（Ａ）が送信フィルタ（ＦＴＸ１１）の入力側へ、それぞれ固定かつ解離可能に接続されている、請求項１記載の装置。
【請求項４】
４個の送信信号（ＴＸ１１〜ＴＸ１４）を接続するために、固定かつ解離可能な付加的な接続を行うことのできる拡張ユニット（ＥＷ）が設けられている、請求項１記載の装置。
【請求項５】
拡張ユニット（ＥＷ）は、それぞれ入力側および出力側を備え、各送信ユニットに配属された第３のワンウェイアテネータ（ＡＳ１３）および第４のワンウェイアテネータ（ＡＳ１４）、および、それぞれ第１の入力側（Ｅ１），第２の入力側（Ｅ２）および出力側（Ａ）を備えた第２のカップリング回路（Ｋ１２）および第３のカップリング回路（Ｋ１３）を有しており、
各ワンウェイアテネータの入力側は対応する送信ユニットと固定かつ解離可能に接続できるように構成されており、
第３のワンウェイアテネータ（ＡＳ１３）の出力側は第２のカップリング回路（Ｋ１２）の第１の入力側（Ｅ１）へ接続されており、第４のワンウェイアテネータ（ＡＳ１４）の出力側は第２のカップリング回路（Ｋ１２）の第２の入力側（Ｅ２）へ接続されており、
第２のカップリング回路（Ｋ１２）の出力側（Ａ）は第３のカップリング回路（Ｋ１３）の第１の入力側（Ｅ１）へ接続されており、
第３のカップリング回路（Ｋ１３）の第２の入力側（Ｅ２）および出力側（Ａ）は固定かつ解離可能に接続できるように構成されている、
請求項４記載の装置。
【請求項６】
４個の送信信号（ＴＸ１１〜ＴＸ１４）を接続するために、第１の送信ユニットが第１のワンウェイアテネータ（ＡＳ１１）の入力側へ、第２の送信ユニットが第２のワンウェイアテネータ（ＡＳ１２）の入力側へ、第３の送信ユニットが第３のワンウェイアテネータ（ＡＳ１３）の入力側へ、第４の送信ユニットが第４のワンウェイアテネータ（ＡＳ１４）の入力側へ、第１のワンウェイアテネータ（ＡＳ１１）の出力側が第１のカップリング回路（Ｋ１１）の第２の入力側（Ｅ２）へ、第１のカップリング回路（Ｋ１１）の出力側（Ａ）が第３のカップリング回路（Ｋ１３）の第２の入力側（Ｅ２）へ、第３のカップリング回路（Ｋ１３）の出力側（Ａ）が送信フィルタ（ＴＦＸ１１）の入力側へ、それぞれ固定かつ解離可能に接続されている、請求項５記載の装置。
【請求項７】
各カップリング回路（Ｋ１１〜Ｋ１３）は３ｄＢハイブリッドカプラとして構成されており、それぞれの利用されていないポートは負荷抵抗に接続されている、請求項１から６までのいずれか１項記載の装置。
【請求項８】
送受信デュプレクスフィルタ（ＤＦ１１）は受信フィルタ（ＦＲＸ１１）を有しており、送受信アンテナで受信された信号が該受信フィルタ（ＦＲＸ１１）およびこれに後置接続された増幅器および別のフィルタを介して選択回路（ＵＳ１〜ＵＳ３）へ供給される、請求項１から７までのいずれか１項記載の装置。
【請求項９】
拡張ユニット（ＥＷ）は選択回路（ＵＳ３）を含み、拡張ユニット（ＥＷ）が使用される際には、該拡張ユニットの選択回路（ＵＳ３）が信号評価のために装置の受信フィルタ（ＦＲＸ１１）に後置接続された選択回路（ＵＳ１）へ接続される、請求項８記載の装置。
【発明の詳細な説明】
【技術分野】
【０００１】
本発明は請求項１の上位概念記載の少なくとも１つの送信ユニットを送受信アンテナへ接続する装置に関する。
【０００２】
基地局では受信を改善するためにいわゆる"アンテナコンバイニング受信法"が使用される。その際、加入者機から送信された加入者信号は、一般に、２個のアンテナシステムを介して２個の受信信号として基地局で受信される。個々の受信信号は例えば信号品質または受信レベルを考慮して評価される。その後、例えば２個の受信信号のうち一方が選択され、さらに処理される。
【０００３】
送信側で見ると、双方のアンテナシステムとも送信信号に対する送信アンテナとして用いられる。例えばＴＤＭＡ無線通信システムでは一般に、２個、４個または８個の"キャリアユニット"と称される送信ユニットが２個の送信アンテナへ接続され、つまり各送信アンテナに対して１個、２個または４個の送信ユニットが設けられている。各送信ユニットは加入者信号の伝送に用いられる搬送波周波数を形成する。搬送波周波数を接続するために、各送信アンテナに対して１つずつモジュールを備えたいわゆる"デュプレクサ増幅器マルチカプラ"ＤＵＡＭＣＯが使用される。
【０００４】
図４には、２個の送信ユニットの送信信号ＴＸ１ａ，ＴＸ１ｂを２個の送受信アンテナＡＮＴ１，ＡＮＴ２へ接続する従来技術の第１の装置が示されている。
【０００５】
ここに示されている装置は２個の送信ユニットの送信信号を２個の送受信アンテナへ接続するので、"ＤＵＡＭＣＯ２：２"と称される。
【０００６】
第１のモジュールＭ１はワンウェイアテネータ（単方向線路）ＡＳ１を含み、このワンウェイアテネータの入力側に図示されていない送信ユニットの第１の送信信号ＴＸ１ａが印加される。ワンウェイアテネータはアイソレータ、サーキュレータまたはこれらに似た機能を有するモジュール群として実現することもできる。ワンウェイアテネータＡＳ１の出力側は送受信デュプレクスフィルタＤＦ１の送信フィルタＴＸに接続されている。
【０００７】
第１の送信信号ＴＸ１ａはワンウェイアテネータＡＳ１、送信フィルタＴＸおよびモジュール群ＢｉａｓＴＥＥを介して第１の送受信アンテナＡＮＴ１へ供給され、そこから送信される。
【０００８】
モジュール群ＢｉａｓＴＥＥは給電電圧の供給およびアンテナの近傍に配置される付加的な"タワーマウンテッド増幅器"ＴＭＡに対するシグナリングのために用いられる。このためにモジュール群ＢｉａｓＴＥＥはモジュール群ＣＴＲＬ，ＴＭＡに接続されている。モジュール群ＡＳＵはアンテナ監視に用いられる。
【０００９】
第１のモジュールＭ１はさらに選択的に接続される２個の"低ノイズ増幅器"ＬＮＡ１１，ＬＮＡ１２を含む。第１の送受信アンテナＡＮＴ１で受信された加入者信号は、モジュール群ＢｉａｓＴＥＥおよび送受信デュプレクスフィルタＤＦ１の受信フィルタＲＸを介して、選択的に接続される増幅器ＬＮＡ１１，ＬＮＡ１２へ達する。受信信号を制御するために付加的に減衰回路Ｄ１が設けられ、これは２個の増幅器ＬＮＡ１１，ＬＮＡ１２間に配置される。
【００１０】
第２の増幅器ＬＮＡ１２は４個の出力側ＲＸ１〜ＲＸ４を介して図示されていない対応する４個の受信ユニットまたはキャリアユニットに接続されている。さらに第２の増幅器ＬＮＡ１２の出力側には出力側ＲＸＣＡ１が結合されている。
【００１１】
第２のモジュールＭ２は第１のモジュールＭ１と同じ構造で構成されており、図示されていない第２の送信ユニットの第２の搬送波周波数ＴＸ１ｂを第２の送受信アンテナＡＮＴ２へ接続するために用いられる。相応に第２のモジュールＭ２は送受信デュプレクスフィルタＤＦ２，モジュール群ＢｉａｓＴＥＥ，ワンウェイアテネータＡＳ２，選択的に接続される増幅器ＬＮＡ２１，ＬＮＡ２２および減衰回路Ｄ２を有する。
【００１２】
図５には４個の送信ユニットの送信信号を２個の送受信アンテナへ接続する従来技術の第２の装置が示されている。
【００１３】
ここに示されている装置は、４個の送信ユニットの送信信号を２個の送受信アンテナへ接続するので、"ＤＵＡＭＣＯ４：２"と称される。
【００１４】
第１のモジュールＭ１は図示されていない２個の送信ユニットの送信信号ＴＸ１，ＴＸ２を第１の送受信アンテナＡＮＴ１へ接続するために用いられる。
【００１５】
図４と比べて異なっているのは、第１のモジュールＭ１が２個のワンウェイアテネータＡＳ１１，ＡＳ１２を有しており、その出力側がそれぞれカップリング回路Ｃｏｕｐｌｅｒ１の各入力側へ接続されている点である。２個のワンウェイアテネータＡＳ１１，ＡＳ１２の入力側には２個の送信信号ＴＸ１，ＴＸ２が印加される。各ワンウェイアテネータはアイソレータ、サーキュレータまたはこれらに似た機能を有するモジュール群として実現することもできる。
【００１６】
カップリング回路Ｃｏｕｐｌｅｒ１により２個の送信信号ＴＸ１，ＴＸ２は結合され、送受信デュプレクスフィルタＤＦ１の送信フィルタＴＸを介して第１の送受信アンテナＡＮＴ１へ供給され、そこから送信される。
【００１７】
受信のためのモジュール群およびその制御については図４に則して説明したのと同様である。
【００１８】
第２のモジュールＭ２は第１のモジュールＭ１と同じ構造で構成されており、図示されていない第２の送信ユニットの２個の搬送波周波数を第２の送受信アンテナＡＮＴ２へ接続するために用いられる。相応に第２のモジュールＭ２は送受信デュプレクスフィルタＤＦ２，モジュール群ＢｉａｓＴＥＥ，２個のワンウェイアテネータＡＳ２１，ＡＳ２２およびカップリング回路Ｃｏｕｐｌｅｒ２を有する。
【００１９】
３ｄＢカプラとして構成されたカップリング回路Ｃｏｕｐｌｅｒ１，Ｃｏｕｐｌｅｒ２の利用されていないポートはそれぞれ負荷抵抗に接続される。
【００２０】
図６には８個の送信ユニットの送信信号を２個の送受信アンテナへ接続する従来技術の第３の装置が示されている。
【００２１】
ここに示されている装置は、８個の送信ユニットの送信信号を２個の送受信アンテナへ接続するので、"ＤＵＡＭＣＯ８：２"と称される。
【００２２】
第１のモジュールＭ１は図示されていない４個の送信ユニットの送信信号ＴＸ１〜ＴＸ４を第１の送受信アンテナＡＮＴ１へ接続するために用いられる。
【００２３】
図５と比べて異なっているのは、第１のモジュールＭ１が４個のワンウェイアテネータＡＳ１１〜ＡＳ１４を有し、その出力側がそれぞれカップリング回路Ｃｏｕｐｌｅｒ１の各入力側へ接続されている点である。４個のワンウェイアテネータＡＳ１１〜ＡＳ１４の各入力側には４個の送信信号ＴＸ１〜ＴＸ４が印加される。各ワンウェイアテネータはアイソレータ、サーキュレータまたはこれらに似た機能を有するモジュール群として実現することもできる。
【００２４】
カップリング回路Ｃｏｕｐｌｅｒ１により４個の送信信号ＴＸ１〜ＴＸ４が結合され、送受信デュプレクスフィルタＤＦ１の送信フィルタＴＸを介して第１の送受信アンテナＡＮＴ１へ供給され、そこから送信される。
【００２５】
受信のためのモジュール群およびその制御については図５に則して説明したのと同様である。ただし第２の増幅器ＬＮＡ１２は第１のモジュールＭ１の８個の出力側へ接続されている。
【００２６】
第２のモジュールＭ２は第１のモジュールＭ１と同じ構造で構成されており、図示されていない第２の送信ユニットの４個の搬送波周波数を第２の送受信アンテナＡＮＴ２へ接続するために用いられる。相応に第２のモジュールＭ２は送受信デュプレクスフィルタＤＦ２，４個のワンウェイアテネータＡＳ２１〜ＡＳ２４およびカップリング回路Ｃｏｕｐｌｅｒ２を有する。
【００２７】
各カップリング回路Ｃｏｕｐｌｅｒ１，Ｃｏｕｐｌｅｒ２の利用されていないポートはそれぞれ負荷抵抗に接続される。
【００２８】
図４〜図６に示されている装置はそれぞれ基地局の固定の要素である。したがって基地局では、きわめて大きなコストをかけて部品を交換しないかぎり、例えば４個の搬送波周波数または４個の送信ユニットから８個の搬送波周波数または８個の送信ユニットへ拡張できない。
【００２９】
したがって本発明の課題は、僅かなコストで拡張可能な少なくとも１つの送信ユニットを送受信アンテナへ接続する装置を提供することである。
【００３０】
この課題は請求項１の特徴部分に記載の構成により解決される。本発明の有利な実施形態は従属請求項に記載されている。
【００３１】
本発明の装置によれば、固定かつ解離可能な接続を用い、必要に応じて拡張ユニットを接続することにより、１個の送信ユニットの送信信号から４個の送信ユニットの送信信号までを１個の送受信アンテナへ簡単に接続することができるようになる。
【００３２】
本発明の装置はモジュール方式で構成される。つまり低コストな２個のモジュールを使用して"ＤＵＣＯＭ２：２"または"ＤＵＣＯＭ４：２"または"ＤＵＣＯＭ８：２"を実現することができる。
【００３３】
本発明によれば、送信ユニットの増大に対して僅かなコストで基地局を後から拡張することができる。
【００３４】
以下に本発明を図示し、詳細に説明する。図１には少なくとも１つの送信ユニットを送受信アンテナへ接続する本発明の装置が示されている。図２には少なくとも３つの送信ユニットを送受信アンテナへ接続する本発明の拡張ユニットが示されている。図３には図１の装置に図２の拡張ユニットを接続した装置が示されている。図４には２個の送信ユニットを２個の送受信アンテナへ接続する従来技術の第１の装置が示されている。図５には４個の送信ユニットを２個の送受信アンテナへ接続する従来技術の第２の装置が示されている。図６には８個の送信ユニットを２個の送受信アンテナへ接続する従来技術の第３の装置が示されている。図４〜図６については既に説明した。
【００３５】
図１には少なくとも１つの送信ユニットを送受信アンテナへ接続する本発明の装置が示されている。
【００３６】
この装置はモジュールＭ１１，Ｍ２１の形態で示されている。送信側で見ると、第１のモジュールＭ１１は、それぞれ入力側および出力側を備えた第１のワンウェイアテネータＡＳ１１および第２のワンウェイアテネータＡＳ１２、および、第１の入力側Ｅ１，第２の入力側Ｅ２および出力側Ａを備えた第１のカップリング回路Ｋ１１を含む。さらに第１のモジュールＭ１１は送受信デュプレクスフィルタＤＦ１１を有しており、その送信フィルタＦＴＸ１１を介して第１の送受信アンテナＡＮＴ１１へ所定の送信信号が供給され、そこから送信される。
【００３７】
各ワンウェイアテネータはアイソレータ、サーキュレータまたはこれらに似た機能を有するモジュール群として実現することもできる。
【００３８】
第１のワンウェイアテネータＡＳ１１は、第１の送信信号ＴＸ１１を形成する図示されていない第１の送信ユニットに配属されている。第２のワンウェイアテネータＡＳ１２は、第２の送信信号ＴＸ１２を形成する図示されていない第２の送信ユニットに配属されている。
【００３９】
第１のカップリング回路Ｋ１１の第１の入力側Ｅ１は第２のワンウェイアテネータＡＳ１２の出力側に接続されている。
【００４０】
第１のワンウェイアテネータＡＳ１１の入力側および第２のワンウェイアテネータＡＳ１２の入力側は対応する送信ユニットと固定かつ解離可能に接続できるように構成されており、これにより対応する送信信号ＴＸ１１，ＴＸ１２を受け取ることができる。
【００４１】
送信フィルタＦＴＸ１１の入力側，第１のカップリング回路Ｋ１１の第２の入力側Ｅ２，第１のカップリング回路Ｋ１１の出力側Ａおよび第１のワンウェイアテネータＡＳ１１の出力側も同様に固定かつ解離可能に接続できるように構成されており、この固定かつ解離可能な接続により、対応する送信ユニットの少なくとも１つの送信信号ＴＸ１，ＴＸ２を送信フィルタＦＴＸ１１の入力側へ選択的に接続することができる。
【００４２】
送受信デュプレクスフィルタＤＦ１１の送信フィルタＦＴＸ１１に印加された送信信号は、トリプレクサＴＰ１１およびＶＳＷＲ制御回路ＶＳＷＲＰＲＯＣを備えた監視回路ＵＥ１１を介して第１の送受信アンテナＡＮＴ１１へ達する。監視回路ＵＥ１１は送受信アンテナＡＮＴ１１のアンテナポートの信号を約４０ｄＢ減衰させる。このために出力側Ｔｅｓｔｏｕｔ１１ではテスト信号の検査が行われる。
【００４３】
固定かつ解離可能な接続により、第１の送信信号ＴＸ１１および／または第２の送信信号ＴＸ１２が選択的に第１の送受信アンテナＡＮＴ１１へ接続される。
【００４４】
例えば、１個の送信信号ＴＸ１１を接続するために、対応する送信ユニットが第１のワンウェイアテネータＡＳ１１の入力側へ固定かつ解離可能に接続される。さらに、第１のワンウェイアテネータＡＳ１１の出力側が送信フィルタＦＴＸ１１の入力側に固定かつ解離可能に接続される。
【００４５】
２個の送信信号ＴＸ１１，ＴＸ１２を接続するには、第１の送信信号ＴＸ１１に対応する第１の送信ユニットが第１のワンウェイアテネータＡＳ１１の入力側へ固定かつ解離可能に接続され、第２の送信信号ＴＸ１２に対応する第２の送信ユニットが第２のワンウェイアテネータＡＳ１２の入力側へ固定かつ解離可能に接続される。さらに第１のワンウェイアテネータＡＳ１１の出力側が第１のカップリング回路Ｋ１１の第２の入力側Ｅ２へ固定かつ解離可能に接続され、第１のカップリング回路Ｋ１１の出力側Ａが送信フィルタＦＴＸ１１の入力側へ固定かつ解離可能に接続される。
【００４６】
受信側で見ると、第１のモジュールＭ１１は、送受信デュプレクスフィルタＤＦ１１の受信フィルタＦＲＸ１１，第１のスイッチＳＷ１１，第１の増幅器ＡＭＰ１１，第２のスイッチＳＷ１２，減衰回路ＤＧ１１，第２の増幅器ＡＭＰ１２，フィルタＢＦ１１および選択回路ＵＳ１を有する。選択回路ＵＳ１は第２の増幅器ＡＭＰ１２の出力側に接続された複数の並列出力側の形態で構成されている。
【００４７】
送受信アンテナＡＮＴ１１を介して受信された信号は監視回路ＵＥ１１，トリプレクサＴＰ１１および上述の受信側部品を介して並列出力側へ達する。並列出力側は信号評価のためにそれぞれ受信ユニットまたはキャリアユニットに固定かつ解離可能に接続される。
【００４８】
第２のモジュールＭ２１が第１のモジュールＭ１１と同じ構造で構成されている場合、これら２個のモジュールは、選択に応じて、２個の送信信号を２個の送受信アンテナＡＮＴ１１，ＡＮＴ２２へ接続する"ＤＵＡＭＣＯ２：２"または４個の送信信号を２個の送受信アンテナＡＮＴ１１，ＡＮＴ２２へ接続する"ＤＵＡＭＣＯ４：２"となる。
【００４９】
相応に、第２のモジュールＭ２１は、第１のワンウェイアテネータＡＳ２１，第２のワンウェイアテネータＡＳ２２，第１のカップリング回路Ｋ２１，送受信デュプレクスフィルタＤＦ２１，トリプレクサＴＰ２１，監視回路ＵＥ２１，第１のスイッチＳＷ２１，第１の増幅器ＡＭＰ２１，第２のスイッチＳＷ２２，減衰回路ＤＧ２１，第２の増幅器ＡＭＰ２２，フィルタＢＦ２１および選択回路ＵＳ２を有する。
【００５０】
カップリング回路Ｋ１１，Ｋ２１は有利には３ｄＢハイブリッドカプラとして構成されている。有利な実施例では、モジュールＭ１１，Ｍ２１はそれぞれポートＲＸｏｕｔ１１，ＲＸｉｎ１１，ＲＸｏｕｔ２１，ＲＸｉｎ２１を介して図示されていない付加的な受信側フィルタへ接続可能である。
【００５１】
図２には少なくとも３つの送信ユニットを送受信アンテナＡＮＴ１１へ接続する本発明の拡張ユニットＥＷが示されている。
【００５２】
拡張ユニットＥＷはモジュールＭ１２１，Ｍ２２１の形態で示されている。送信側で見ると、第１のモジュールＭ１２１は、それぞれ入力側および出力側を備えた第３のワンウェイアテネータＡＳ１３および第４のワンウェイアテネータＡＳ１４、および、それぞれ第１の入力側Ｅ１，第２の入力側Ｅ２および出力側Ａを備えた第２のカップリング回路Ｋ１２および第３のカップリング回路Ｋ１３を含む。
【００５３】
各ワンウェイアテネータＡＳ１３，ＡＳ１４の入力側は対応する送信ユニットと固定かつ解離可能に接続できるように構成されている。第３のワンウェイアテネータＡＳ１３の出力側は第２のカップリング回路Ｋ１２の第１の入力側Ｅ１に接続されている。第４のワンウェイアテネータＡＳ１４の出力側は第２のカップリング回路Ｋ１２の第２の入力側Ｅ２に接続されている。第２のカップリング回路Ｋ１２の出力側Ａは第３のカップリング回路Ｋ１３の第１の入力側Ｅ１に接続されている。第３のカップリング回路Ｋ１３の第２の入力側Ｅ２および出力側Ａは固定かつ解離可能に接続できるように構成されている。
【００５４】
受信側で見ると、拡張ユニットＥＷの第１のモジュールＭ１２１は増幅器ＡＭＰおよび選択回路ＵＳ３を有する。
【００５５】
８個までの送信信号を２個の送受信アンテナへ供給するために、第１のモジュールＭ１２１と同じ構造の第２のモジュールＭ２２１が設けられている。
【００５６】
図３には、図１の装置に図２の拡張ユニットを接続した、４個の送信信号を送受信アンテナへ供給する装置が示されている。
【００５７】
第１の送信信号ＴＸ１１に対応する図示されていない第１の送信ユニットは図３Ａの第１のモジュールＭ１１の第１のワンウェイアテネータＡＳ１１の入力側へ固定かつ解離可能に接続されている。第２の送信信号ＴＸ１２に対応する図示されていない第２の送信ユニットは図３Ａの第１のモジュールＭ１１の第２のワンウェイアテネータＡＳ１２の入力側へ固定かつ解離可能に接続されている。第３の送信信号ＴＸ１３に対応する図示されていない第３の送信ユニットは図３Ｂの第１のモジュールＭ１２１の第３のワンウェイアテネータＡＳ１３の入力側へ固定かつ解離可能に接続されている。第４の送信信号ＴＸ１４に対応する図示されていない第４の送信ユニットは図３Ｂの第１のモジュールＭ１２１の第４のワンウェイアテネータＡＳ１４の入力側へ固定かつ解離可能に接続されている。
【００５８】
図３Ａの第１のモジュールＭ１１の第１のワンウェイアテネータＡＳ１１の出力側は同じモジュールの第１のカップリング回路Ｋ１１の第２の入力側Ｅ２へ、またこの第１のカップリング回路Ｋ１１の出力側Ａは図３Ｂの第１のモジュールＭ１２１の第３のカップリング回路Ｋ１３の第２の入力側Ｅ２へ、固定かつ解離可能に接続される。さらに図３Ｂの第１のモジュールＭ１２１の第３のカップリング装置Ｋ１３の出力側Ａは図３Ａの第１のモジュールＭ１１の送信フィルタＦＴＸ１１の入力側へ固定かつ解離可能に接続される。
【００５９】
本発明の図３Ａの装置の第２のモジュールＭ２２と図３Ｂの拡張ユニットの第２のモジュールＭ２２１とを相応に接続すれば、８個の送信信号を２個の送受信アンテナＡＮＴ１１，ＡＮＴ１２へ接続する"ＤＵＡＭＣＯ８：２"が実現される。
【００６０】
図３では、各モジュールにおいて、図１に則して説明したポートＲＸｉｎ１１，ＲＸｏｕｔ１１，ＲＸｉｎ２１，ＲＸｏｕｔ２１は短絡されている。
【図面の簡単な説明】
【００６１】
【図１】少なくとも１つの送信ユニットを送受信アンテナへ接続する本発明の装置を示す図である。
【図２】少なくとも３つの送信ユニットを送受信アンテナへ接続する本発明の拡張ユニットを示す図である。
【図３】拡張ユニットを接続した装置の全体図である。
【図３Ａ】図１に関連する装置部分を示す図である。
【図３Ｂ】図２に関連する装置部分を示す図である。
【図４】従来技術の第１の装置を示す図である。
【図５】従来技術の第２の装置を示す図である。
【図６】従来技術の第３の装置を示す図である。
【図１】
2008520136.tif 000003
【図２】
2008520136.tif 000004
【図３Ａ】
2008520136.tif 000005
【図３Ｂ】
2008520136.tif 000006
【図４】
2008520136.tif 000007
【図５】
2008520136.tif 000008
【図６】
2008520136.tif 000009
【国際調査報告】
2008520136.tif 000010
2008520136.tif 000011
2008520136.tif 000012
2008520136.tif 000013